(57)【要約】【課題】収納物を注ぎ出すときに確認し易い袋天部から行えるとともに、収納物の注ぎ出しや持ち運びが手持ちで行えるガゼット袋を提供する。【解決手段】側面ガゼットシートを横ガゼットとしている袋本体２と、注出口具１１を取り付けた上面シート１２を袋本体２の上部に重ね合わせて袋本体２の上部に設けた袋天部３とを有するガゼット袋であり、袋本体の一方の平面シート５から上方に向けて延長した延長シート１５とその延長シート１５に沿って上面シート１２から上方に向けて延長した延長シート１６とを重ね合わせてなる上部重ね合わせシート部１７に、持ち手１４が設けられ、上部重ね合わせシート部１７の基端部分に、一方の平面シート１５と上面シート１２とを幅方向に亘ってヒートシールして、袋本体２の内空間と持ち手１４との間を非連続状態にする閉鎖部１８を設けた。【選択図】図１
2018024453.tif 000002
【特許請求の範囲】
【請求項１】
前後に対向した一対の平面シートの間に、該平面シートの幅方向に対向する位置にして折り入れられた側面ガゼットシートが配置され、平面シートと側面ガゼットシートとの相対する側辺をヒートシールし、平面シートと側面ガゼットシートとの相対する下辺をヒートシールし、平面シート同士の相対する下辺をヒートシールして、前記側面ガゼットシートを展開可能な横ガゼットとしている袋本体と、
前記袋本体の上部に、注出口具が取り付けられた上面シートを重ね合わせて、この上面シートの周辺と袋本体の上周辺とをヒートシールして、袋本体の上部に設けられている袋天部とを有するガゼット袋であって、
前記袋本体の一方の平面シートから上方に向けて延長された延長シートと前記一方の平面シートからの延長シートに沿って前記袋天部の上面シートから上方に向けて延長された延長シートとが重ね合わされていて、前記一方の平面シートからの延長シートと前記上面シートからの延長シートとを重ね合わせてなる上部重ね合わせシート部に、持ち手が設けられおり、
前記上部重ね合わせシート部の基端部分に、一方の平面シートと上面シートとを幅方向に亘ってヒートシールして、袋本体の内空間と持ち手との間を非連続状態にする閉鎖部が設けられていることを特徴とする注出口付きガゼット袋。
【請求項２】
上記袋本体の袋下部において、上記平面シートと側面ガゼットシートとの相対する下辺をヒートシールした部分と上記平面シート同士の相対する下辺をヒートシールした部分とが一直線上に並んで連続する袋下部直線閉鎖部と、この袋下部直線閉鎖部での側面ガゼットシートの折れ位置から斜め上方に向けて上記平面シートと側面ガゼットシートとの相対する側辺をヒートシールした部分に達していて、平面シートと側面ガゼットシートとを線状にヒートシールした袋下部傾斜閉鎖部とが設けられている請求項１に記載の注出口付きガゼット袋。
【請求項３】
上記袋本体の袋下部は、上記一対の平面シートと上記側面ガゼットシートとが下方に向けて延長されていて、この一対の平面シートと側面ガゼットシートとの下方への延長部分を重ね合わせてなる下部重ね合わせシート部に、持ち手が設けられている請求項１または２に記載の注出口具付きガゼット袋。
【請求項４】
上記注出口具は上記上部重ね合わせシート部から離間した位置であって、上記袋天部の中央、または袋天部での前記上部重ね合わせシート部とは反対側の辺に偏移した位置に設けられている請求項１から３のいずれか一項に記載の注出口具付きガゼット袋。
【請求項５】
上記袋本体の側面視形状を、袋底が形成可能に扁平とされた袋本体の下部から上記袋天部にかけて上広がりの略三角形状にしていて、袋天部全体が、持ち手のある上記上部重ね合わせシート部から袋本体の下部に亘る平面の位置に対して袋前方に張り出る配置とされている請求項１から４のいずれか一項に記載の注出口具付きガゼット袋。
【発明の詳細な説明】
【技術分野】
【０００１】
本発明は液体製品、例えば液体洗剤や柔軟剤などのトイレタリー用品、食用油やソースなどの液体調味料、インスタントコーヒーなどの飲料食品、エンジンオイルなどの工業製品が例として挙げられるような液体を収納でき、収納物を収納した状態で手持ちできる程度の容量とするガゼット袋に関するものである。
【背景技術】
【０００２】
ガゼット袋には、柔軟性を有するシートの貼り合わせによって製造され、収納物を充填することで袋のガゼットの部分が展開して収納空間が広がるとともに、袋下部にも平面方向に広がる底が形成されて、据え置きできて自立する形態の袋が、従来から多く流通している。
【０００３】
例えば特許文献１、２においては、袋天部の縁部分に注出口具を配して袋全体をブロック状としたものが示されていて、袋前後とする一対の平面シート部分の間で、袋天部と袋底部としてガゼットシート部分が折り入れられて、このガゼットシート部分を袋天部、袋底部としているとともに、前記一対の平面シート部分それぞれの両側を袋側部に回り込ませて、ガゼットシート部分の縁部とともに一体的にヒートシールすることで、袋側部を構成した構造としている点が示されている。
【０００４】
そして特許文献１に示されたガゼット袋では、袋天部としているガゼットシート部分と一方の平面シート部分とをヒートシールする縁部の間に注出口具を挟み入れて一体にヒートシールを行なうことで、その注出口具を取り付けていた。また特許文献２に示されたガゼット袋では、一方の平面シート部分での袋前部となる面での上辺側に近接位置させるようにして注出口具を取り付けるようにしていた。
【先行技術文献】
【特許文献】
【０００５】
【特許文献１】特開２００８−０５６３２６号公報
【特許文献２】特開２００１−３４８０６５号公報
【発明の概要】
【発明が解決しようとする課題】
【０００６】
しかしながら特許文献１に示されたガゼット袋は収納物を入れた状態での積載効率や自立性に優れているものの、外ケースに入れる内袋としているものであり、このガゼット袋自体には持ち手を有するものとはなっていないため、収納物が入れられたガゼット袋を直接に手持ちして運んだり、収納物を注ぎ出すことが非常に困難になるという問題がある。
【０００７】
一方、特許文献２に示されたガゼット袋は、袋天部と袋底部とのそれぞれに持ち手が設けられている。しかし、この特許文献２のガゼット袋では、注出口具が袋正面である平面シート部分に取り付けられているので、収納物を移す相手容器などに注ぎ出しを行なうときに袋全体を傾けながら注出口具の位置を下げていくと、注出口具が見難くなって注ぎ出しが難しくなり、また注ぎ出している状態の確認が困難になり易いことから流量の調整がし辛いなどの問題がある。
【０００８】
さらに注出口具が平面シート部分に取り付けられているため、袋内での収納物の充填高さを注出口具の取り付け位置より下位にする必要があり、収納物の充填効率を高められないという不具合がある。
【０００９】
そこで本発明は上記事情に鑑み、収納物を注ぎ出すときに確認し易い袋天部から行えるようにするとともに、収納物の注ぎ出しや持ち運びが手持ちで行えるようにすることを課題とし、注ぎ出しや持ち運びが安全で確実に行えるガゼット袋を得ることを目的とする。
【課題を解決するための手段】
【００１０】
（請求項１の発明）
本発明は上記課題を考慮してなされたもので、前後に対向した一対の平面シートの間に、該平面シートの幅方向に対向する位置にして折り入れられた側面ガゼットシートが配置され、平面シートと側面ガゼットシートとの相対する側辺をヒートシールし、平面シートと側面ガゼットシートとの相対する下辺をヒートシールし、平面シート同士の相対する下辺をヒートシールして、前記側面ガゼットシートを展開可能な横ガゼットとしている袋本体と、
前記袋本体の上部に、注出口具が取り付けられた上面シートを重ね合わせて、この上面シートの周辺と袋本体の上周辺とをヒートシールして、袋本体の上部に設けられている袋天部とを有するガゼット袋であって、
前記袋本体の一方の平面シートから上方に向けて延長された延長シートと前記一方の平面シートからの延長シートに沿って前記袋天部の上面シートから上方に向けて延長された延長シートとが重ね合わされていて、前記一方の平面シートからの延長シートと前記上面シートからの延長シートとを重ね合わせてなる上部重ね合わせシート部に、持ち手が設けられおり、
前記上部重ね合わせシート部の基端部分に、一方の平面シートと上面シートとを幅方向に亘ってヒートシールして、袋本体の内空間と持ち手との間を非連続状態にする閉鎖部が設けられていることを特徴とする注出口付きガゼット袋を提供して、上記課題を解消するものである。
【００１１】
（請求項２の発明）
また本発明は、上記袋本体の袋下部において、上記平面シートと側面ガゼットシートとの相対する下辺をヒートシールした部分と上記平面シート同士の相対する下辺をヒートシールした部分とが一直線上に並んで連続する袋下部直線閉鎖部と、この袋下部直線閉鎖部での側面ガゼットシートの折れ位置から斜め上方に向けて上記平面シートと側面ガゼットシートとの相対する側辺をヒートシールした部分に達していて、平面シートと側面ガゼットシートとを線状にヒートシールした袋下部傾斜閉鎖部とが設けられていることが良好である。
【００１２】
（請求項３の発明）
そして本発明は、上記袋本体の袋下部は、上記一対の平面シートと上記側面ガゼットシートとが下方に向けて延長されていて、この一対の平面シートと側面ガゼットシートとの下方への延長部分を重ね合わせてなる下部重ね合わせシート部に、持ち手が設けられていることが良好である。
【００１３】
（請求項４の発明）
また本発明は、上記注出口具は上記上部重ね合わせシート部から離間した位置であって、上記袋天部の中央、または袋天部での前記上部重ね合わせシート部とは反対側の辺に偏移した位置に設けられていることが良好である。
【００１４】
（請求項５の発明）
また本発明は、上記袋本体の側面視形状を、袋底が形成可能に扁平とされた袋本体の下部から上記袋天部にかけて上広がりの略三角形状にしていて、袋天部全体が、持ち手のある上記上部重ね合わせシート部から袋本体の下部に亘る平面の位置に対して袋前方に張り出る配置とされていることが良好である。
【発明の効果】
【００１５】
（請求項１の発明の効果）
請求項１の発明によれば、袋天部に注出口具が配置されているので、収納物が入れられたガゼット袋を傾斜させても注出口具の位置が見易くなり、収納物の注ぎ出しを安全に行えるようになる。また袋の上部側に持ち手を有していることから、この持ち手に手を掛けて手提げして簡単に持ち運ぶことができるとともに、注ぎ出しの作業をその持ち手を利用して袋の上部を支えることで、傾いた姿勢でも袋が安定するようになり、収納物の注ぎ出しを安全にして確実に行えるようになる。
【００１６】
また注出口具が袋天部に配置されているので、収納物をより多く充填できて袋本体の内空間を効率的に使用することで、ガゼット袋の使用包材量を削減できる。そして前記持ち手は袋本体の内空間と仕切られているので、この持ち手自体の形成に際し、シートに対する切り込みなどの簡単な方法で安価に持ち手を設けることができる。
【００１７】
さらに袋本体は袋の下部側に亘って横ガゼットを備えているものであり、袋の下部を扁平な状態から平面方向に広がる袋底を形成する変形が容易であるとともに、その袋底がある状態から横ガゼットの部分が折り込まれた扁平な状態への変形も容易なものとなっている。そのため、袋全体を傾斜させて収納物を注出しているときには、袋の下部が容易に扁平に変形するようになり、注出に際しての脈動の発生を抑えて安定した注ぎ出しが行えるものとなる。
【００１８】
（請求項２の発明の効果）
請求項２の発明によれば、袋下部において、この袋下部を閉鎖している平面シートと側面ガゼットシートとをヒートシールした部分と平面シート同士をヒートシールした部分とが一直線上に並んで連続して、これにより袋幅方向に亘る袋下部直線閉鎖部を有している。そして収納物を入れて、袋下部の部分に平面方向に広がりのある袋底が形成された場合でも、その袋底の中央の部分に袋幅方向に亘って、強度が高められた部分として袋下部直線閉鎖部が位置するので、袋下部の破袋強度が高められて充填済の袋の輸送時に破袋が生じないという効果がある。
【００１９】
また上記袋下部直線閉鎖部に連続して側面ガゼットシートの折れ位置から袋側面側のヒートシールされた部分に達する上記袋下部傾斜閉鎖部が設けられているので、収納物を注ぎ出すときに、袋下部での平面シートの隅部と側面ガゼットシートの隅部との間に収納物が残るということがなく、液残りを極力少なくすることができる。
【００２０】
（請求項３の発明の効果）
請求項３の発明によれば、袋下部に持ち手が設けられているので、収納物が入れられたガゼット袋の袋下部を支えながらこのガゼット袋を傾斜させることが確実に行え、ガゼット袋の傾斜姿勢がより一層安定して注ぎ出しの作業が安全に行えるようになる。
【００２１】
（請求項４の発明の効果）
請求項４の発明によれば、袋天部の注出口具が、袋上部側の持ち手がある上部重ね合わせシート部から離間していて、袋天部の中央や上部重ね合わせシート部とは反対側の辺に偏移した位置に設けられているので、収納物をガゼット袋から相手容器などに移す際に、注出口具を相手容器側に接近させることができ、より安全に収納物の移し込みが行えるという効果を奏する。
【００２２】
（請求項５の発明の効果）
請求項５の発明によれば、袋天部自体が袋前方へと張り出る状態となっているので、収納物を注ぎ出すために袋上部の持ち手を利用して袋全体を前傾させる初期の段階で、その袋天部に配されている注出口具が相手容器に近付いて、収納物を注ぎ始める際の注ぎ出し方向を定め易くなるという効果を奏する。
【図面の簡単な説明】
【００２３】
【図１】本発明に係る注出口具付きガゼット袋の一例を斜め上方から見た状態で示す説明図である。
【図２】一例を側方から見た状態で示す説明図である。
【図３】収納物が入れられた状態を示す説明図である。
【図４】袋下部を平面シート側から見た状態で示す説明図である。
【図５】収納物が入れられた状態での袋底を下方から見た状態で示す説明図である。
【図６】製造手順を示す説明図である。
【図７】側面ガゼットシートの折り込みを示す説明図である。
【図８】モニター評価に用いた袋を示す説明図である。
【発明を実施するための形態】
【００２４】
つぎに本発明を図１から図８に示す実施の形態に基づいて詳細に説明する。図中１は注出口具付きガゼット袋で、該注出口具付きガゼット袋１は、袋側部それぞれを横ガゼットとして袋側部が袋前後方向に展開することで内空間を広げることができるようにされた袋本体２と、袋本体２の上部に取り付けられた袋天部３とを有しており、袋内方側をシーラント層とする積層構成を備えた柔軟な以下のシートを重ね合わせ、この重ね合わせでシーラント層を相対させた辺同士などの必要箇所をヒートシールして成形されている。
【００２５】
（袋本体）
図１に示すように上記袋本体２では、袋前部と袋後部となるように一対の平面シート４、５を前後に対向させ、この一対の平面シート４、５の間に、該平面シート４、５の幅方向（袋本体の幅方向）に対向する袋側部として位置する折り入れられた側面ガゼットシート６、７が配置されている。そして平面シート４、５と側面ガゼットシート６、７との相対する側辺同士をヒートシールして側辺シール部８が形成され、また前記平面シート４、５と前記側面ガゼットシート６、７との相対する下辺、及び平面シート４、５の下辺の袋下部中央部分で直接相対する部分同士をヒートシールして平面シートの幅方向に亘る袋下部直線閉鎖部９が形成されている。
【００２６】
（袋下部直線閉鎖部）
上記袋下部直線閉鎖部９は、袋前後部の平面シート４、５と袋左右側部の側面ガゼットシート６、７との下辺をヒートシールした部分と、平面シート４、５の直接相対する下辺同士をヒートシールした部分とが一直線上に並んで連続することで一直線に形成されている。図４参照
【００２７】
横ガゼット（側面ガゼットシート）が、袋前後方向に展開する内空間の拡張に際しては、平面シート４、５の袋下部２６側が折り込まれるとともに、側面ガゼットシート６、７の袋下部２６側も展開しながら袋中央側に折り込まれて、平面方向に広がりのある袋底が形成されるようになり、広がった袋底の中央に、図５に示すように一直線の袋下部直線閉鎖部９が位置することとなる。このように袋底の中央に一直線の袋下部直線閉鎖部９が位置するようになる袋下部２６とすることで、破袋に対する強度が高まるようになる。
【００２８】
なお、図４の仮想線で示すように袋下部直線閉鎖部９での側面ガゼットシート６、７が位置する部分において、その側面ガゼットシート６、７それぞれに透孔２７を設け、平面シート４、５がこの透孔２７を通して直接ヒートシールにて連結されるようにすることが可能である。このようにすれば、側面ガゼットシート６、７における袋下部２６側の外方に対しての開きが抑止され、袋下部２６の強度を一層向上させることができる。
【００２９】
（袋下部傾斜閉鎖部）
この実施の形態では収納物を排出したときに、袋下部２６においての平面シート４、５と側面ガゼットシート６、７とが相対している隅部に液残りが生じないように、平面シート４、５と側面ガゼットシート６，７とが相対する部分を線状にヒートシールして袋下部傾斜閉鎖部１０が設けられており、平面シート４、５と側面ガゼットシート６、７との前記隅部に、収納物の充填時にその収納物が入り込まないようにしている。
【００３０】
上記袋下部傾斜閉鎖部１０は、上記袋下部直線閉鎖部９上での側面ガゼットシート６、７の折れ位置（袋下部直線閉鎖部と側面ガゼットシートの折れ線との交差点）から斜め上方に向けて上記側辺シール部８に達している。袋本体２の内空間が拡張されたときに側面ガゼットシート６，７それぞれが折れる位置にこの袋下部傾斜閉鎖部１０が配置されており、袋本体の内空間の拡張時、即ち袋底が広がりを持って形成されるときに、側面ガゼットシート６、７それぞれの袋下部２６側が、袋下部傾斜閉鎖部１０の位置から折れ易く、袋底の形成が簡単に行えるようにしている。
【００３１】
（袋天部）
袋天部３は、上記袋本体２の平面視で四角形状となる上部に、注出口具１１が取り付けられて袋本体２の上部平面形状に対応した形状の上面シート１２を重ね合わせることで、この袋本体２の上部に設けられている。そして上面シート１２の周辺と袋本体２の上周辺とをヒートシールして上周辺シール部１３を形成して、上面シート１２を袋本体２に一体にしている。
【００３２】
上記上周辺シール部１３は、上面シート１２の四方の辺を対の平面シート４、５の上辺と側面ガゼットシート６、７の上辺とにヒートシールしてなるとともに、上記側辺シール部８にも連続している。これによって袋本体２の内空間は上面シート１２にて覆われた空間として形成されている。
【００３３】
（袋上部  持ち手）
実施の形態の注出口具付きガゼット袋１にあっては、袋上部に持ち手１４が設けられている。図１に示されているように袋後部となる一方の平面シート５の上辺から上方に向けて延長された延長シート１５と、この延長シート１５に沿って袋天部３における上面シート１２の後辺（袋後部側の辺）から上方に向けて延長された延長シート１６とを重ね合わせ、この延長シート１５、１６とを重ね合わせてなる上部重ね合わせシート部１７に、略Ｃ字状の切り込みを入れて前記持ち手１４が形成されている。
【００３４】
また持ち手１４から離れた下位の位置であって上部重ね合わせシート部１７の基端となる部分は、上記上周辺シール部１３の一部分であって、袋後部の一方の平面シート５の上辺と上面シート１２の後辺とをヒートシールして袋幅方向に亘る閉鎖部１８としている。
【００３５】
このように切り込みにより形成された持ち手１４を配する上部重ね合わせシート部１７の基端を、ヒートシールからなる上記閉鎖部１８としているので、前記持ち手１４と袋本体２の内空間との間が閉鎖部１８で閉じられて非連続状態となっており、袋本体２側に入れた収納物が持ち手１４の位置に達することがない。よって持ち手１４を切り込み成形という簡易な方法で得ることができる。
【００３６】
本実施の形態において、上記延長シート１５と延長シート１６とは、上部重ね合わせシート部１７の基端の上記閉鎖部１８の位置のみでヒートシールされているものではなく、延長シート１５と延長シート１６とが全面的にヒートシールされて一体となっている。
【００３７】
勿論、閉鎖部１８以外の部分を必ずしもヒートシールする必要はない。例えば、延長シート１５と延長シート１６との側辺同士をヒートシールし、また持ち手１４を含む小領域を部分的にヒートシールしたり、あるいはその持ち手１４の切り込みから裂けが発生しないように持ち手１４の手掛け位置に沿って直線状にヒートシールによる貼り合わせを行なうなど、強度が求められる箇所に必要に応じてヒートシールを行なうようにすることが好ましい。
【００３８】
（袋下部  持ち手）
注出口具付きガゼット袋１の袋下部２６側にも、上記袋上部の持ち手１４と同様に持ち手１９を有している。まず袋前後部の平面シート４、５には、上記袋下部直線閉鎖部９の位置となっている平面シート４、５の下辺それぞれから下方に延長された延長シート２０、２１が設けられているとともに、側面ガゼットシート６、７にも、袋下部直線閉鎖部９の位置であるその側面ガゼットシート６、７の下辺それぞれから下方に延長された延長シート２２、２３が設けられている。
【００３９】
袋本体２での重ね合わせと同様に対の延長シート２０、２１の間に、折り込まれた延長シート２２、２３を配置し、この延長シート２０、２１と延長シート２２、２３との相対する側辺をヒートシールするとともに、延長シート２０、２１と延長シート２２、２３との相対する下辺をヒートシールし、また延長シート２０、２１との直接相対する下辺同士もヒートシールして、延長部分での側辺と下辺とをヒートシールにより一体とした延長シートの下部重ね合わせシート部２４を形成している。
【００４０】
そして下部重ね合わせシート部２４に切り込みにより上記持ち手１９を形成している。この持ち手１９の袋幅方向での長さは手掛けが行えるものであればよく、特に限定されるものではないが、実施の形態にあっては持ち手１９の端部が延長シート２２、２３にも及ぶ長さとされている。
【００４１】
この袋下部２６側の持ち手１９も切り込みをして形成されているものであることから、手掛け部分の強度を上げて裂けの発生を防止する目的として、持ち手１９の手掛けする位置に亘るように直線状のヒートシールを行なってなる補強部２５が設けられている。
【００４２】
（袋天部の注出口具位置）
袋天部３の上面シート１２に設けられている上記注出口具１１は、袋上部の持ち手１４に手を掛けて、また袋下部２６の持ち手１９にも手を掛けて袋全体を袋前方への前傾状態に傾斜させながら袋内部の収納物を注ぎ出すときに相手容器の口部などに近付け易くするために、上部重ね合わせシート部１７から離間した位置であって、袋天部３の中央、または袋天部３での袋前部の平面シート４側の辺に偏移した位置に設けられている。
【００４３】
さらに本注出口具付きガゼット袋１では、袋天部３の袋後部側のみに上方に向けて延長された上部重ね合わせシート部１７が位置して、この上部重ね合わせシート部１７に持ち手１４が設けられている。これに加えて、図２に示すように袋本体２の側面視形状を、袋底が形成可能に扁平とされた袋下部２６から袋天部３にかけて上広がりの略三角形状にして、袋下部２６から上部重ね合わせシート部１７に亘る平面の位置に対して、即ち袋後部の平面シート５の位置に対して袋天部３全体が袋前方へと張り出るように配置されたものとなっている。
【００４４】
このように袋天部３が持ち手１４を配した上部重ね合わせシート部１７より袋前方側にあって、かつ袋天部３での注出口具１１を、袋天部３の中央や袋前部の平面シート５の上辺側に偏移した位置に設けているので、収納物を注ぎ出すために上下の持ち手１４、１９を利用して袋全体を前傾させる初期の段階で、注出口具１１が相手容器側に近付くこととなり、収納物を注ぎ始める際の注ぎ出し方向を定め易くなるものである。
【００４５】
（脈動防止）
袋本体２の袋下部２６は収納物が入れられていないときには側面ガゼットシート６、７が展開しないことから扁平となっている。そして収納物が入れられると広がりのある袋底が形成されるが、この収納物を注ぎ出すときに大気圧が袋全体に加わることから、袋下部２６側から扁平となる変形を伴ないながら注ぎ出しが行われるようになる。そのため硬質容器の液体物の注出時に発生する脈動は生じず、安定して収納物の注ぎ出しが行えるという利点がある。
【００４６】
（ガゼット袋の製造）
注出口具付きガゼット袋１の製造手順の一例が図６と図７とに概略的に示されていて、この図６と図７に基づいて製造手順を説明する。
【００４７】
まず袋後部の平面シート５に、横ガゼットを構成するための側面ガゼットシート６、７それぞれを重ね合わせる。側面ガゼットシート６、７はそれぞれ袋内方側が凸となるように二つ折りに折り込まれているが、上面シート１２を配置する側面ガゼットシート６、７の上辺側の部分については、図示されているように事前に三角状に展開されている。図６（ａ）
【００４８】
そして、上記袋前部の平面シート４の上辺側を折り返して、その折り返し部分が、側面ガゼットシート６、７の三角状の展開部分の下半部の背部に差し入れるようにしながら、平面シート４を側面ガゼットシート６、７の上に重ね合わせる。図６（ｂ）
【００４９】
つぎに注出口具１１が取り付けられている上面シート１２を、上記平面シート４の折り返しを背部に差し入れている側面ガゼットシート６、７の三角状の展開部分から上記袋後部の平面シート５に亘るようにして重ね合わせる。図６（ｃ）
【００５０】
このようにして図６（ｄ）に示すごとく側面ガゼットシート６、７を対の平面シート４、５の間に配するとともに、上面シート１２を上述のように重ね合わせた状態で、上述した貼り合わせを必要とする部分に対してヒートシールを行なう。そして、この後に持ち手を形成する切り込みを行なう。
【００５１】
なお、重ね合わせを行なう平面シート４、５と側面ガゼットシート６、７と上面シート１２それぞれは、上記上部重ね合わせシート部１７と下部重ね合わせ部２４を得るための部分を有する大きさに設定されている。
【００５２】
図７は側面ガゼットシート６、７の折りを単独で示しているものである。一方の側面ガゼットシート６での折りについて説明すれば、（ａ）側面ガゼットシート６を二つ折り、（ｂ）上部側の三角部分を二つ折りの内方に折り込み、（ｃ）この後、内方に折り込んだ部分での手前部位を下方に折り下げて、図６に示す折り形態の側面ガゼットシートが得られる。
【００５３】
（シート用の包材）
上記平面シート、側面ガゼットシート、上面シートそれぞれは一般的なパウチ用の包材を用いることが良好であり、バリア性を備える層構成の積層シートであれば一層良好であるが、ヒートシールを行なうために袋内方面側をシーラント層とする基材／シーラント構成のものであれば特に限定されない。
【００５４】
（モニター評価）
つぎにシートから袋本体が形成され注出口具を有する袋において形状の異なるものを作製して、モニター評価を実施し、その結果を表１に示す。
・実施例として、上述した実施の形態のガゼット袋を作製した。
・比較例１として、注出口具が袋上部一隅にて斜め上方に向けて傾斜しているスタンディングパウチ形状の袋を作製した。
・比較例２として、袋側部を横ガゼットとし、袋前後部のシートの上部を貼り合わせた袋上辺中央に注出口具１１を配し、注出口具１１を跨ぐ略門状の持ち手を、袋前後部のシートに連接の持ち手片の貼り合わせで設けて、持ち手が注出口具１１の上方に位置するようにしたガゼット袋を作製した。
・比較例３として、袋側部を横ガゼットとし、袋前後部の一方の平面シートに注出口具１１を配し、袋本体の上辺全体を上方に延長してその延長された部分に持ち手を設けたガゼット袋を作製した。この比較例３での注出口具１１は一枚の平面シートに開けた取付孔に装着して溶着固定されているものとした。
【００５５】
図８で上記モニター評価に用いた袋の形状を概略的に示した。（Ａ）は実施例、（Ｂ）は比較例１、（Ｃ）は比較例２、（Ｄ）は比較例３である。
【００５６】
（積層体の構成）
実施例と比較例１〜３に用いたシート（積層体）は、ドライラミネート法によって貼り合わされてなるものであり、以下の構成とした。
ポリエチレンテレフタレートフィルム（ＰＥＴ  １２μｍ）／接着剤層／二軸延伸ナイロンフィルム（ＯＮＹ  １５μｍ）／接着剤層／直鎖状低密度ポリエチレンフィルム（ＬＬＤＰ  １５０μｍ）
【００５７】
（実験方法）
上記積層体としたシートで袋本体を作製し、注出口具を取り付けて、実施例、比較例１〜３の袋を作製した。そして、４リットルの水を入れ、自立性、運び易さ、注ぎ易さ（注ぎ相手大：バケツ、注ぎ相手小：プラスチックボトル）に対してのモニター評価を実施した。
【００５８】
【表１】
2018024453.tif 000003
【００５９】
モニター評価により、本発明の実施の形態であるガゼット袋の形状が最も注ぎ易さ、運び易さなどで総合的に優れていることが判った。なお、表１において○は良好、△は不良、×は不可とする評価を表している。
【００６０】
（落下試験）
つぎに本発明の実施の形態である上記実施例（図３（Ａ）の袋）と、袋底を底面シートを用いて構成している角底ガゼットの袋とした比較例４とを作製し、高さ１ｍの位置から落下試験を実施した。その結果を表２に示す。
【００６１】
（実験方法）
比較例４は実施例のガゼット袋における袋下部の構造が相違するだけとして他の部位については同じとしており、袋底の構成では底面シートを用い、この底面シートを平面シートとの重ね合わせとなる辺同士で溶着するとともに、底面シートと側面ガゼットシートとの重ね合わせとなる辺同士で溶着を行なって角底ガゼットとした。そして実施例と比較例４の袋それぞれに４リットルの水を入れ、最大落下回数を５０回として何回目の落下で破袋したかを確認した。
【００６２】
【表２】
2018024453.tif 000004
【００６３】
表２から明らかなように、比較例４とした角底ガゼット形状の袋は２８回で破袋したのに対し、本発明の実施の形態である実施例は５０回落下をしても破袋しないため、袋下部の強度が高いことが判った。
【符号の説明】
【００６４】
１…注出口具付きガゼット袋
２…袋本体
３…袋天部
４、５…平面シート
６、７…側面ガゼットシート
８…側辺シール部
９…袋下部直線閉鎖部
１０…袋下部傾斜閉鎖部
１１…注出口具
１２…上面シート
１３…上周辺シール部
１４、１９…持ち手
１７…上部重ね合わせシート部
１８…閉鎖部
２４…下部重ね合わせシート部
２５…補強部
２６…袋下部
【図１】
2018024453.tif 000005
【図２】
2018024453.tif 000006
【図３】
2018024453.tif 000007
【図４】
2018024453.tif 000008
【図５】
2018024453.tif 000009
【図６】
2018024453.tif 000010
【図７】
2018024453.tif 000011
【図８】
2018024453.tif 000012